(57)【要約】【課題】階調表示時のクロストーク軽減などを行うこと。【解決手段】  ソース出力波形を電圧パルス波形の時分割制御で行わずに定電流出力時間を制御する。このため、液晶駆動装置は、定電流回路を実装し、定電流によってソース電流を液晶の蓄積容量に供給する。また、放電も定電流によって行う。蓄積容量の充放電を定電流で行うと、充放電する時間によって蓄積容量の電荷量を制御することができる。そこで、液晶駆動装置は、パネル駆動消費電流を軽減するために、既に蓄積容量に蓄積されている電荷に差分分を充電、あるいは放電する。このようにして、既に蓄積容量に充電されている電荷を有効利用することができる。またコンパレータを用いて、ソース出力が所望の電圧となったところでハイインピーダンスとすることにより消費電流を軽減することもできる。【選択図】図２
2008175861.tif 000002
【特許請求の範囲】
【請求項１】
所定のタイミングで発光する発光手段と、
前記発光手段が発光する光が透過する液晶と、
前記液晶に作用し、前記液晶の透過率を規定する電界を形成する容量と、
定電流によって前記容量を充電する充電手段と、
を具備したことを特徴とする液晶表示装置。
【請求項２】
前記充電手段は、前記容量の充電量が、前記容量に必要な充電量よりも小さい場合に、前記容量の充電量と、前記容量に必要な充電量と、の差分を充電することを特徴とする請求項１に記載の液晶表示装置。
【請求項３】
前記充電手段は、充電用基準電流供給手段から供給される充電用基準定電流を参照して前記容量に定電流を供給し、
前記容量に定電流を供給しない間、前記充電手段を、前記充電用基準定電流から切断する切断手段を具備したことを特徴とする請求項１、又は請求項２に記載の液晶表示装置。
【請求項４】
充電した前記容量を定電流によって放電させる放電手段を具備したことを特徴とする請求項１、請求項２、又は請求項３に記載の液晶表示装置。
【請求項５】
前記放電手段は、前記容量の充電量が、前記容量に必要な充電量よりも大きい場合に、前記容量の充電量と、前記容量に必要な充電量と、の差分を放電することを特徴とする請求項４に記載の液晶表示装置。
【請求項６】
前記放電手段は、放電用基準電流供給手段から供給される放電用基準定電流を参照して前記容量から定電流にて放電し、
前記容量から電荷を放電しない間、前記放電手段を、前記放電用基準定電流から切断する切断手段を具備したことを特徴とする請求項４、又は請求項５に記載の液晶表示装置。
【請求項７】
前記容量の充電状態をリセットするリセット手段を具備したことを特徴とする請求項１から６までのうちの何れか１の請求項に記載の液晶表示装置。
【発明の詳細な説明】
【技術分野】
【０００１】
本発明は、液晶表示装置に関し、例えば、フィールドシーケンシャル駆動方式で駆動するものに関する。
【背景技術】
【０００２】
液晶パネルの表示方式には各種のものがあるが、白色光をカラーフィルタで３原色に変換し、液晶によって階調レベルを調節するものが多用されている。
これに対し、３原色のＬＥＤ（Ｌｉｇｈｔ  Ｅｍｉｔｔｉｎｇ  Ｄｉｏｄｅ）の発光時間を個別に制御して３原色を所望の割合で発生させ、液晶によって階調レベルを調節するフィールドシーケンシャル駆動方式の液晶パネルが注目を集めている。
フィールドシーケンシャル駆動方式では、ＬＥＤの発光時間が短いため、各色が残像として網膜に残り、ユーザに所望の色として認識される。
【０００３】
フィールドシーケンシャル駆動方式は、カラーフィルタ方式に比べてＲＧＢのサブピクセルを構成する必要がないため、画素が小さくなり、高精細な画像が得られる他、カラーフィルタを用いずにバックライトで直接３原色を発光させるため、高い輝度を得ることができる。
このようなフィールドシーケンシャル駆動方式の液晶表示装置に関する技術として、次の特許文献の「階調表示方法」がある。
【特許文献１】特開２００３−９８５０５公報
【特許文献２】特許第３３５３０１１号公報
【０００４】
この技術は、ソース電圧による液晶の立ち上り特性と立ち下り特性に不対称性があるのを利用して、ソース電圧のオンオフパターンにより液晶の透過光量の積分値を微細に調節して所望の階調レベルを得るものである。
【発明の開示】
【発明が解決しようとする課題】
【０００５】
従来技術ではソース出力波形は理想的なパルス波形で定義しているが、実際は、ソース駆動配線インピーダンスの影響で、ソースドライバのオンするソース本数で（フィールドシーケンシャル駆動方式では、表示する画像によって駆動するソース本数が異なる）ソース出力波形の時定数が変わってしまい、クロストークの原因となっていた。以下、これについてより詳細に説明する。
【０００６】
図１１（ａ）は、液晶に印加されるソース電圧の理想的な動作を示した図である。この場合、ソースの駆動電圧は矩形波となり、ソース出力は、所定の時定数を有する立ち上り特性、立ち下り特性を有した波形となる。
そして、ソース出力により液晶の透過光量が規定され、また、駆動電圧とソース出力は、駆動するソース本数に関わらず同じとなる。
【０００７】
図１１（ｂ）は、実際の波形を示した図である。ソースの駆動電圧は、矩形波から歪んだ波形となり、ソース出力も歪むと共に駆動するソース本数が多い場合（実線）と少ない場合（波線）で時定数が異なる。
図１１（ｃ）は、この場合のソース出力の立ち上り特性と立ち下り特性を拡大した図である。
ソースをＮ本（Ｎは自然数）駆動にした場合に比べ、ソースをＭ本（Ｎ＜Ｍ）駆動した場合は、Δｔほど立ち上がりが遅れ、電圧値も小さくなっている。
特許文献１、２の従来技術では、液晶の階調レベルがソース出力の積分値で作用するため、ソース出力の変化による階調レベルの差が視認できる程度に大きくなる。
【０００８】
図１２（ａ）は、液晶パネルに「Ｈ」の字を９０度回転させた画像を表示させたところを示している。例えば、背景は黒で表示画像は灰色とする。理想的なパネルでは、表示画像の階調は均一となる。
ところが、実際の液晶パネルに画像を表示すると図１２（ｂ）に示したように画像の両端部と中央部で階調レベルが一様とならず、クロストークが発生している。
これは、走査線１０１が走査する中央部では、走査線１００が走査する両端部分よりも灰色表示（中間調表示）部分が少ないため、駆動するソース本数が少なく（ノーマルブラックの場合）、ソース出力の立ち上がりが速くなるためである。
【０００９】
このように、駆動するソース本数でソース電圧が異なる原因は、駆動回路の寄生抵抗によるものである。
図１３は、従来の液晶パネルの駆動装置を表した模式図である。ソースドライバ電源１０１（Ｖｓ）の電圧は、ソースドライバ１０３にオンオフ制御によって蓄積容量１０４（Ｃｘ）に印加される。蓄積容量１０４には液晶層が形成されており、蓄積容量１０４の発生する電界により液晶の配向が制御される。そして、ソースドライバ電源１０１からソースドライバ１０３に至るまでには配線などによる電源配線寄生抵抗１０２（Ｒｘ）が存在する。
【００１０】
この回路の時定数は、ｔ＝Ｃｘ・Ｒｚ＋Ｎ・Ｃｘ・Ｒｘと近似することができる。ただし、Ｎは駆動するソース本数である。
Ｒｘ＝０の場合は、時定数はＮに依存しないが、Ｒｘは０有限値となるため、時定数ｔはＮに依存することになる。このため、Ｎによって階調レベルの変化が生じることになる。
【００１１】
そこで、本発明の目的は、階調表示時のクロストーク軽減などを行うことである。
【課題を解決するための手段】
【００１２】
本発明は、前記目的を達成するために、請求項１に記載の発明では、所定のタイミングで発光する発光手段と、前記発光手段が発光する光が透過する液晶と、前記液晶に作用し、前記液晶の透過率を規定する電界を形成する容量と、定電流によって前記容量を充電する充電手段と、を具備したことを特徴とする液晶表示装置を提供する。
請求項２に記載の発明において、前記充電手段は、前記容量の充電量が、前記容量に必要な充電量よりも小さい場合に、前記容量の充電量と、前記容量に必要な充電量と、の差分を充電することを特徴とする請求項１に記載の液晶表示装置を提供する。
請求項３に記載の発明において、前記充電手段は、充電用基準電流供給手段から供給される充電用基準定電流を参照して前記容量に定電流を供給し、前記容量に定電流を供給しない間、前記充電手段を、前記充電用基準定電流から切断する切断手段を具備したことを特徴とする請求項１、又は請求項２に記載の液晶表示装置を提供する。
請求項４に記載の発明において、充電した前記容量を定電流によって放電させる放電手段を具備したことを特徴とする請求項１、請求項２、又は請求項３に記載の液晶表示装置を提供する。
請求項５に記載の発明において、前記放電手段は、前記容量の充電量が、前記容量に必要な充電量よりも大きい場合に、前記容量の充電量と、前記容量に必要な充電量と、の差分を放電することを特徴とする請求項４に記載の液晶表示装置を提供する。
請求項６に記載の発明において、前記放電手段は、放電用基準電流供給手段から供給される放電用基準定電流を参照して前記容量から定電流にて放電し、前記容量から電荷を放電しない間、前記放電手段を、前記放電用基準定電流から切断する切断手段を具備したことを特徴とする請求項４、又は請求項５に記載の液晶表示装置を提供する。
請求項７に記載の発明では、前記容量の充電状態をリセットするリセット手段を具備したことを特徴とする請求項１から６までのうちの何れか１の請求項に記載の液晶表示装置を提供する。
【発明の効果】
【００１３】
本発明によれば、定電流源でソース出力を行うことにより、階調表示時のクロストーク軽減などを行うことができる。
【発明を実施するための最良の形態】
【００１４】
（１）実施の形態の概要
本実施の形態の液晶駆動装置は、フィールドシーケンシャル駆動方式において、階調表示時のクロストーク軽減、及びパネル駆動消費電流軽減を行うものである。
まず、階調表示時のクロストーク軽減を図るため、ソース出力波形を電圧パルス波形の時分割制御（オンオフパターン）で行わずに定電流出力時間で制御する。このため、液晶駆動装置は、定電流回路によってソース出力し、蓄積容量を充放電する。
【００１５】
蓄積容量の充放電を定電流で行うと、充放電する時間によって蓄積容量の電荷量を制御することができる。
そこで、液晶駆動装置は、パネル駆動消費電流を軽減するために、既に蓄積容量に蓄積されている電荷に差分分を充電、あるいは放電する。従来は、蓄積容量の電荷を全て放電させた後、再充電していたが、本実施の形態では、既に蓄積容量に充電されている電荷を有効利用することができる。
【００１６】
また、ソース出力のハイインピーダンス制御をタイミングで行わず、各ソース出力が片方に入力され、もう片方には所望のアナログ電圧が入力されるコンパレータを用いて、ソース出力が所望の電圧となったところでハイインピーダンスとすることにより消費電流を軽減することもできる。
【００１７】
（２）実施の形態の詳細
図１は、本実施の形態に係る液晶表示装置の構成を模式的に説明するためのブロック図である。
液晶表示装置は、液晶駆動装置３、パネル７、及び図示しないが、液晶駆動装置３に階調データを出力する階調データ出力部、パネル７を走査（スキャン）する走査部などから構成されている。
【００１８】
液晶駆動装置３は、パネル７の階調レベルを調節する機能部であって、ソース駆動部５、ソース出力部６、前データ記憶部４などから構成されており、走査部がパネル７を走査するのに同期して、パネル７の各画素の階調レベルを調節する。
【００１９】
ソース駆動部５は、階調データ出力部から階調データを受信し、次のようにして、これに対応するソース駆動信号をソース出力部６に出力する。
まず、ソース駆動部５は、前回に受信した階調データを前データ記憶部４に記憶しておく。
次に、前データ記憶部４に記憶してある前回の各画素の階調データを参照し、今回の階調データとの差分を計算する。
【００２０】
そして、ソース駆動部５は、計算した差分をソース駆動信号として出力し、ソース出力部６に差分分の階調調節を行わせる。
これによって、ソース駆動部５は、階調レベルを上げる場合、ソース出力部６にその差分に対応する電流をパネル７の画素に出力させ、階調レベルを下げる場合はその差分に対応する電流を放電させる。
更に、ソース駆動部５は、今回受信した階調データを前データ記憶部４に記憶し、次回の階調データとの差分計算に用いる。
【００２１】
従来の液晶パネルは、液晶を形成する蓄積容量に充電していた電荷を一旦放電させてから次の電荷を充電していたが、本実施の形態の液晶駆動装置３は、後述するように、定電流によって蓄積容量の充放電を行うため、蓄積容量に既に蓄電されている電荷の差分を充放電することができる。これによって、既に蓄電されている電荷を有効利用することができ、電力消費を低減することができる。
なお、本実施の形態を、従来と同様に蓄積容量を全て放電させてから充電するように構成することも可能である。
【００２２】
前データ記憶部４は、直前の階調データを画素ごとに記憶する記憶部であり、例えば、ＲＡＭ（Ｒａｎｄｏｍ  Ａｃｃｅｓｓ  Ｍｅｍｏｒｙ）などの記憶デバイスによって構成されている。
前データ記憶部４は、ソース駆動部５が階調レベルの差分を計算するための作業エリアを提供する。
【００２３】
ソース出力部６は、パネル７のソース電極線に接続しており、ソース駆動部５からのソース駆動信号に従って、ソース電極線に定電流を供給して蓄積容量の充放電を行う回路である。
後述するように、本実施の形態では、ソース出力部６をカレントミラー回路を用いて構成した。
【００２４】
パネル７は、例えば、アクティブマトリクス型のａ−ＳｉＴＦＴ液晶をフィールドシーケンシャル駆動方式で駆動する表示パネルであって、３原色を発光するバックライトと、このバックライトを遮蔽する位置に配置された液晶を備えている。
バックライトには、３原色（ＲＧＢ）のＬＥＤが形成されており、各ＬＥＤは、図示しないバックライト駆動装置によって、所定のタイミングで（画像データに基づいて）発光させられるようになっている。この発光タイミングにより、３原色が合成されて色が表現される。
図示しないが、パネル７には走査部からの走査電極線も接続されており、液晶駆動装置３は、走査信号に同期して定電流による蓄積容量の充放電を行うようになっている。
【００２５】
図２は、ソース出力部６の構成を説明するための図である。
ソース出力部６は、ソース出力ごとに設けられた定電流回路１０、１０、１０、・・・、と定電流電源２０などから構成されている。
一方、パネル７の液晶部は、スイッチ素子２１と、これに接続する蓄積容量２２を用いて構成されている。
【００２６】
まず、パネル７の液晶部について説明する。
蓄積容量２２は、ソース電極２４とコモン電極２５によって構成されたコンデンサ（容量）であり、ソース電極２４とコモン電極２５の間に液晶層２３が形成されている。液晶層２３の透過率は、蓄積容量２２が液晶層２３に及ぼす電界の大きさによって規定される。
ソース電極２４は、スイッチ素子２１を介してソース電極線に接続しており、蓄積容量２２は、ソース電極２４の電流により充放電することができる。
【００２７】
スイッチ素子２１は、ゲート電極線による走査信号によりオンオフし、オンの場合は、ソース電極線と蓄積容量２２が電気的に接続し、オフの場合は、ソース電極線と蓄積容量２２が電気的に切断する。
なお、蓄積容量２２を蓄電しない状態で透過率が最大となる方式をノーマルホワイトといい、蓄積容量２２を蓄電しない状態で透過率が最小となる方式をノーマルブラックという。
【００２８】
次に、ソース出力部６について説明する。
定電流回路１０は、充電回路１１、放電回路１２を備えており、パネル７のソース電極にソース線を介して出力を行う。
充電回路１１、放電回路１２は、カレントミラー回路と呼ばれる定電流回路であり、充電回路１１は、蓄積容量２２を定電流で充電し、放電回路１２は、蓄積容量２２を定電流で放電させる。
充電回路１１は、ソース駆動部５から出力されるソース駆動信号のＤＡＴ１１がＨ（Ｈｉｇｈ）の場合にオフとなり、Ｌ（Ｌｏｗ）の場合オンとなる。
一方、放電回路１２は、ＤＡＴ１２がＨの場合はオンとなり、Ｌの場合はオフとなる。
このように充電回路１１、放電回路１２をＬとすると、定電流回路１０をハイインピーダンス状態にすることができる。
【００２９】
図３は、ソース駆動信号（ＤＡＴ１１、ＤＡＴ１２）とソース出力の関係を示した表である。
ＤＡＴ１１、ＤＡＴ１２が共にＬの場合、ソース出力はＨとなり、充電回路１１によって蓄積容量２２に定電流が供給されて充電が行われる。
ＤＡＴ１１、ＤＡＴ１２が共にＨの場合、ソース出力はＬとなり、放電回路１２によって蓄積容量２２から定電流による放電が行われる。
ＤＡＴ１１がＨでＤＡＴ１２がＬの場合、充電回路１１、放電回路１２は共にオフとなり、ＨｉＺ（ハイインピーダンス）となる。
ＤＡＴ１１がＬでＤＡＴ１２がＨの場合は禁止されている。
【００３０】
図２に戻り、定電流電源２０は、第１定電流源１８、第２定電流源１９、直流電源１３などを備えている。
第１定電流源１８は、ＶＢＮ線１６に定電流を供給する。充電回路１１は、第１定電流源１８の定電流を参照し、これを基準とする定電流で蓄積容量２２を充電する。即ち、第１定電流源１８の定電流は充電回路１１の定電流を規定している。
第２定電流源１９は、ＶＢＰ線１７に定電流を供給する。放電回路１２は、第２定電流源１９の定電流を参照し、これを基準とする定電流で蓄積容量２２を放電する。即ち、第２定電流源１９の定電流は放電回路１２の定電流を規定している。
直流電源１３は、ＶＳＲ線１４を介して充電回路１１、放電回路１２に電力を供給する電源であり、ＶＳＳ線１５は、充電回路１１、放電回路１２を接地する線である。
【００３１】
定電流回路１０は、ソース出力の数（ｎとする）だけ定電流回路１０、１０、・・・、１０が定電流電源２０に並列に接続されており、ソース駆動部５は、これら定電流回路１０、１０、・・・のＤＡＴ１１、ＤＡＴ１２、〜ＤＡＴｎ１、ＤＡＴｎ２にソース駆動信号を出力する。
これら定電流回路１０、１０、・・・は、何れも第１定電流源１８と第２定電流源１９の定電流を基準とする充放電を行うため、駆動しているソース本数に関わらず所定の定電流で充放電を行うことができる。
これによって、駆動するソース本数の違いに起因するクロストークを抑制することができる。
【００３２】
次に、ソース駆動部５がソース出力部６を制御する方法について説明する。
ソース出力部６は、定電流によって蓄積容量２２を充放電する。このため、蓄積容量２２（図２）に蓄電される電荷量は、充電に要した時間、あるいは放電に要した時間に比例する。
そこで、ソース駆動部５は、ソース出力部６の充放電時間を制御することにより、蓄積容量２２の電荷（即ち、液晶層２３の透過率）を制御する。
しかも、ソース駆動部５は、前データ記憶部４に記憶した前回の階調レベルにより現在の蓄積容量２２の充電量を間接的に把握しているため、現在の充電量との差分の電荷を充放電時間を制御することによって充放電させることができる。
【００３３】
図４は、液晶駆動装置３が、ある画素の階調レベル（即ち、液晶の透過率）を階調レベル０（ノーマルホワイトとする）から調節する場合を示した図であり、縦軸は階調レベルを示しており、横軸は時間を示している。
階調レベルが大きくなるほど液晶の透過率は小さくなる（ノーマルホワイトであるので、蓄積容量２２の充電量が多くなる）。
ここでは、階調レベルを１だけ変化させるのに要する時間を１単位（１カウント）とし、液晶駆動装置３は、蓄積容量２２を充放電する時間をカウンタで計測するものとする。
充電する場合をアップカウント、放電する場合をダウンカウントと呼ぶことにする。
【００３４】
充放電する時間と階調レベルの変化は比例するため、具体的な値は、図４から、カウントアップに関しては、１カウント＝（ｔ３−ｔ４）÷６４となり、カウントダウンに関しては、１カウント＝（ｔ６−ｔ４）÷（６４−３０）となる。
第１定電流源１８と第２定電流源１９が等しい場合は、充放電の電流値が等しくなるため、アップカウントとダウンカウントの１カウントは同じ値になる。
【００３５】
例えば、ソース駆動部５は、階調レベルを０から６４に調節する場合、階調レベルを６４回カウントアップする。これは、時刻０から時刻ｔ３までソース出力部６に定電流を蓄積容量２２に供給させることに対応する。これによって、蓄積容量２２の充電量は、階調レベル６４に必要な量となる。
この状態から階調レベル３０に調節する場合、ソース駆動部５は、階調レベルを３４（６４−３０）回カウントダウンする。これは、時刻ｔ４からｔ６まで、ソース出力部６に蓄積容量２２を放電させることに対応する。これによって、蓄積容量２２の充電量は、階調レベル３０に必要な量となる。
【００３６】
また、階調レベル０から階調レベル５０に調節し、その後、レベル３０に調節する場合、ソース駆動部５は、階調レベルを５０回カウントアップした後、２０回カウントダウンする。これは、ソース出力部６にｔ２まで定電流を蓄積容量２２に供給させた後、時刻ｔ４からｔ５まで蓄積容量２２に放電させることに対応する。
更に、階調レベル０から２５に調節し、その後、レベル３０に調節する場合、ソース駆動部５は、階調レベルを２５回カウントアップし、その後更に５回カウントアップする。これは、ソース出力部６にｔ１まで定電流を蓄積容量２２に供給させた後、更に、ｔ４から所定時間の間蓄積容量２２に充電させることに対応する。
【００３７】
このように、ソース駆動部５は、あるゲートスキャンタイミング時のソース出力をハイインピーダンス状態で待機させ、次のゲートスキャン時には前回ハイインピーダンスで止めたタイミングと今回のタイミングの差分分の駆動時間を積算することでパネル消費電流の軽減を行う。
【００３８】
次に、液晶駆動装置３がパネル７の階調を調節する手順を説明する。
図５は、液晶駆動装置３がある画素の液晶の階調レベルを調節する手順を示したフローチャートである。液晶駆動装置３は、この動作を走査信号に同期して全ての液晶に対して行う。
まず、ソース駆動部５が、階調データ出力部から階調データを受信する（ステップ５）。階調データは、例えば、階調レベルを表すデジタルデータで構成されている。
次に、ソース駆動部５は、前データ記憶部４から前回の階調データを読み出し、前回の階調データと今回の階調データの差分を計算する（ステップ１０）。
【００３９】
次に、ソース駆動部５は、ソース出力部６に差分に対応するソース駆動信号を出力する（ステップ１５）。
即ち、階調レベルを上げる場合は、ソース出力部６を差分の分だけカウントアップし、階調レベルを下げる場合はソース出力部６を差分の分だけカウントダウンし、差分が０の場合は、ソース出力部６をハイインピーダンス状態に保つ。
より詳細には、ソース駆動部５は、ＤＡＴｎ１、ＤＡＴｎ２（ｎは整数）の信号線に対して、蓄積容量２２を充電する場合はＬ、Ｌをカウントアップする間出力し、蓄積容量２２を放電する場合はＨ、Ｈをカウントダウンする間出力し、蓄積容量２２の充電状態を維持する場合はＨ、Ｌを出力する。
【００４０】
ソース出力部６は、ソース駆動部５からＤＡＴｎ１、ＤＡＴｎ２によるソース駆動信号を受信し、充電する場合は充電回路１１で蓄積容量２２に定電流を供給し、放電させる場合は放電回路１２で蓄積容量２２を放電させ、充電状態を維持する場合は、充電回路１１、放電回路１２をオフとしてハイインピーダンスの状態を保持する。
【００４１】
次に、ソース駆動部５は、今回受信した階調データを前データ記憶部４に記憶し（ステップ２０）、次回の階調調節に備える。
階調データ受信が継続する場合（ステップ２５；Ｙ）、液晶駆動装置３は、ステップ５に戻って階調調節処理を継続し、階調データの受信が終了した場合（ステップ２５；Ｎ）、階調調節処理を終了する。
【００４２】
以上のように、本実施の形態の液晶駆動装置３は、階調レベルの差分によって電荷の充放電を行うため、従来の一回ごとに全部放電させてから必要な階調レベルまで充電する方式に比べて充電量の誤差が蓄積する場合がある。
この場合、時々蓄積容量２２を放電させて、蓄積容量２２の充電状態をリセットすると効果的である。なお、蓄積容量２２を満充電することにより充電状態をリセットすることも可能である。
即ち、ソース出力がハイインピーダンス期間で目的の階調レベルからの誤差が発生した場合にこれをリセットすることにより、階調ムラを回避することができる。
【００４３】
図６は、リセットを行うタイミングの一例を示したタイミングチャートである。
この例では、階調レベルを３回調節するごとに、ソース駆動部５は、ＤＡＴ１１、ＤＡＴ１２をＨ、Ｈとしてソース出力部６に蓄積容量２２を放電させ、蓄積容量２２の充電状態を０にリセットしている。リセットは、定期的に行ってもよいし、ランダムに行ってもよい。
【００４４】
また、この場合、液晶駆動装置３に蓄積容量２２を強制的に放電させてリセットする機構を設けることもできる。
図７は、このようなリセット動作を行うためのリセットスイッチ３１、３２を定電流回路１０に設置したところを示している。
ＲＥＳ＿Ｈ信号線がＬになるとリセットスイッチ３１がオンになり、ＶＳＲ線１４によって図示しない直流電源１３の電圧が作用して蓄積容量２２が満充電される。
一方、ＲＥＳ＿Ｌ線がＨになるとリセットスイッチ３２がオンになり、ＶＳＳ線１５によって蓄積容量２２が接地され、全放電する。
【００４５】
以上に説明した本実施の形態により次のような効果を得ることができる。
（１）ソースドライバの出力をパルス制御ではなく定電流出力とすることで、ソース出力ドライバの電源インピーダンスの影響を軽減させ、クロストークの少ない所望の階調表現を得ることができる。
（２）駆動するソース本数に関わらず、定電流による蓄積容量２２の充放電を行うため、駆動するソース本数に依存しない階調レベルの調節を行うことができる。
（３）蓄積容量２２を定電流によって充放電するため、充放電時間によって蓄積容量２２に充放電する電荷量を制御することができる。
（４）前回の階調レベル（前回の充電量に対応する量）を記憶しておき、これとの差分を計算することにより、液晶駆動装置３は、差分分の充放電を行えばよい。このため、消費電力を低減化することができる。
（５）蓄積容量２２をリセットすることにより、蓄積容量２２に蓄積される電荷量の誤差を解消することができる。
【００４６】
なお、以上の実施の形態では、充放電の両方を定電流制御したが、これに限定するものではなく、例えば、充電を定電流で行い、放電は定電流制御を行わない方式としたり、あるいは、逆に充電は定電流制御を行わずに放電を定電流制御で行うなどの形態も可能である。
例えば、充電のみを定電流制御で行う場合、放電の制御は困難となるため、従来の技術同様に、蓄積容量２２を毎回リセットして充電するのが望ましい。
【００４７】
以上のように、本実施の液晶表示装置のバックライトは、所定のタイミングで発光する発光手段として機能し、液晶層２３は、前記発光手段が発光する光が透過する液晶として機能し、蓄積容量２２は、前記液晶に作用し、前記液晶の透過率を規定する電界を形成する容量として機能し、ソース駆動部５とソース出力部６は、定電流によって前記容量を充電する充電手段として機能している。
【００４８】
そして、充電手段として機能するソース駆動部５とソース出力部６は、前記容量の充電量が、前記容量に必要な充電量よりも小さい場合に、前記容量の充電量と、前記容量に必要な充電量と、の差分を充電する。
【００４９】
また、ソース駆動部５とソース出力部６は、充電した前記容量を定電流によって放電させる放電手段として機能している。
そして、ソース駆動部５とソース出力部６は、前記放電手段は、前記容量の充電量が、前記容量に必要な充電量よりも大きい場合に、前記容量の充電量と、前記容量に必要な充電量と、の差分を放電する。
【００５０】
また、ソース駆動部５とソース出力部６は、蓄積容量２２の充電状態をリセットするリセット手段として機能している。
なお、液晶駆動装置３のリセットスイッチ３１、３２も、蓄積容量２２を強制的に充放電させて蓄積容量２２の充電状態をリセットするリセット手段として機能している。
【００５１】
（第２の実施の形態）
先に説明した実施の形態では、前データ記憶部４に前回の階調レベルを記憶しておいて差分計算を行ったが、本実施の形態では、階調レベルに対応する電圧と、蓄積容量２２の電圧をコンパレータによって比較することにより差分分の充放電を行う。
【００５２】
図８は、本実施の形態に係る定電流回路１０の構成の一例を示した図である。図示しないが、定電流電源２０は第１の実施の形態と同じである。
定電流回路１０は、充電回路１１をオンオフするコンパレータ３５と、放電回路１２をオンオフするコンパレータ３６が設けられている。
デコーダ３７は、ソース駆動部５から、例えば、６ビット（６４階調の場合）の階調データを受信して、これをアナログの電圧値に変換してコンパレータ３５、３６に出力する。この電圧値は、階調データに対応する階調レベルを実現する蓄積容量２２の充電電圧値となっている。
【００５３】
コンパレータ３５、３６は、一方の入力端子がデコーダ３７の出力に接続されており、他方の入力端子がソース出力に接続されている。
コンパレータ３５、３６は、ソース出力によって蓄積容量２２の現在の充電電圧値を監視しており、デコーダ３７の電圧値との比較結果を、それぞれ、充電回路１１、放電回路１２に出力する。
【００５４】
コンパレータ３５、３６は、ソース出力の電圧値がデコーダ３７の電圧値よりも大きい場合はＬを出力し、ソース出力の電圧値がデコーダ３７の電圧値よりも小さい場合はＨを出力する。
コンパレータ３５、３６の出力端子は、それぞれ、先の実施の形態でＤＡＴ１１、ＤＡＴ１２が接続されていた箇所に接続されており、コンパレータ３５、３６の出力がＬ、Ｌの場合は、充電回路１１がオンになり、Ｈ、Ｈの場合は放電回路１２がオンになる。
【００５５】
即ち、蓄積容量２２の電圧がデコーダ３７の電圧よりも低い場合、充電回路１１がオンとなって、両者の電圧が同じになるまで蓄積容量２２に定電流が供給され（充電手段）、蓄積容量２２の電圧がデコーダ３７の電圧よりも高い場合、放電回路１２がオンとなって、両者の電圧が同じになるまで蓄積容量２２から定電流による放電が行われる（放電手段）。
【００５６】
このように本実施の形態では、ソース駆動部５は、前データ記憶部４を用いて差分計算を行う必要がなく、ソース出力部６で前回の階調レベルと今回の階調レベルとの差分の調節が行われる。
この場合、蓄積容量２２の電圧値が前回の階調レベルを記憶した情報と考えることができ、コンパレータ３５、３６によって前回の階調レベルと今回の階調レベルの差分の補正が行われている。
以上に説明したように、本実施の形態では、前データ記憶部４に階調レベルを記憶したり、あるいは階調レベルの差分を計算する必要がないという効果を得ることができる。
【００５７】
（第３の実施の形態）
図９は、第３の実施の形態に係る定電流回路１０の構成の一例を示した図である。図示しないが、定電流電源２０は第１の実施の形態と同じである。
本実施の形態は、第２の実施の形態において、デコーダ３７の出力を配線３８によって共通化したものである。
第２の実施の形態では、デコーダ３７から電圧値がコンパレータ３５、３６に個別に出力されていたが、両者の出力値がばらつくことも考えられるため、デコーダ３７からコンパレータ３５、３６への出力を配線３８で共通化することによりこのような不具合を防ぐことができる。
また、デコーダ３７の配線本数が低減できるという効果もある。
【００５８】
（第４の実施の形態）
図１０は、第４の実施の形態に係る定電流回路１０の構成の一例を示した図である。図示しないが、定電流電源２０は第１の実施の形態と同じである。
本実施の形態は、第１の実施の形態の定電流回路１０において、スイッチ素子４１〜４４を設置し、充電回路１１、放電回路１２が定電流を出力していない間は、第１定電流源１８、第２定電流源１９による定電流を切断するものである。
即ち、充電回路１１、放電回路１２が定電流を出力していない間は、第１定電流源１８、第２定電流源１９の定電流を参照する必要がないため、これらを遮断することにより液晶駆動装置３の消費電力を低減することができる。
【００５９】
蓄積容量２２に充電する場合、即ち、充電回路１１を駆動し、放電回路１２を待機させる場合は、スイッチ素子４１をオン、スイッチ素子４３をオフにして充電回路１１を駆動し、スイッチ素子４２をオフ、スイッチ素子４４をオンにして放電回路１２を停止させる。
一方、蓄積容量２２を放電する場合、即ち、充電回路１１を待機させ、放電回路１２を駆動する場合は、スイッチ素子４１をオフ、スイッチ素子４３をオンにして充電回路１１を停止させ、スイッチ素子４２をオン、スイッチ素子４４をオフにして放電回路１２をオフにする。
充電回路１１、放電回路１２の双方を停止させる場合は、スイッチ素子４１をオフ、スイッチ素子４３をオン、及び、スイッチ素子４２をオフ、スイッチ素子４４をオンにする。
【００６０】
以上のように、本実施の形態では、充電回路１１、放電回路１２を駆動する場合に、これらに参照用の定電流を供給し、停止する場合は供給しないため、ソース出力部６の電流消費量を低減することができる。
このように、液晶駆動装置３の放電回路１２は、蓄積容量２２を充電する充電手段として機能し、第１定電流源１８の定電流は、充電手段が参照する充電用基準電流として機能している。
スイッチ素子４１、４３は、前記容量（蓄積容量２２）に定電流を供給しない間、前記充電手段をハイインピーダンス状態として、前記充電用基準定電流から切断する切断手段として機能している。
また、液晶駆動装置３の放電回路１２は、蓄積容量２２を放電させる放電手段として機能し、第２定電流源１９の定電流は、放電手段が参照する放電用基準電流として機能している。
スイッチ素子４２、４４は、前記容量を放電しない間、前記放電手段をハイインピーダンス状態として、前記放電用基準定電流から切断する切断手段として機能している。
【図面の簡単な説明】
【００６１】
【図１】液晶表示装置の構成を模式的に説明するためのブロック図である。
【図２】ソース出力部の構成を説明するための図である。
【図３】ソース駆動信号とソース出力の関係を示した表である。
【図４】液晶駆動装置の階調レベル調節機能を説明するための図である。
【図５】液晶駆動装置が階調レベルを制御する手順を説明するためのフローチャートである。
【図６】液晶駆動装置がリセットを行うタイミングを示したタイミングチャートである。
【図７】リセットスイッチの設置例を説明するための図である。
【図８】第２の実施の形態を説明するための図である。
【図９】第３の実施の形態を説明するための図である。
【図１０】第４の実施の形態を説明するための図である。
【図１１】従来のソース電圧の波形などを表した図である。
【図１２】従来のパネルの画像表示例を示した図である。
【図１３】従来のパネルの駆動装置を表した模式図である。
【符号の説明】
【００６２】
３  液晶駆動装置３
４  前データ記憶部４
５  ソース駆動部５
６  ソース出力部６
７  パネル７
１０  定電流回路
１１  充電回路
１２  放電回路
１３  直流電源
１４  ＶＳＲ線
１５  ＶＳＳ線
１６  ＶＢＮ線
１７  ＶＢＰ線
１８  第１定電流源
１９  第２定電流源
２０  定電流電源
２１  スイッチ素子
２２  蓄積容量
２３  液晶層
２４  ソース電極
２５  コモン電極
３２  リセットスイッチ
３５  コンパレータ
３６  コンパレータ
３７  デコーダ
４１〜４４  スイッチ素子
９９  走査線
１００  走査線
１０１  ソースドライバ電源
１０２  電源配線寄生抵抗
１０３  ソースドライバ
１０４  蓄積容量
【図１】
2008175861.tif 000003
【図２】
2008175861.tif 000004
【図３】
2008175861.tif 000005
【図４】
2008175861.tif 000006
【図５】
2008175861.tif 000007
【図６】
2008175861.tif 000008
【図７】
2008175861.tif 000009
【図８】
2008175861.tif 000010
【図９】
2008175861.tif 000011
【図１０】
2008175861.tif 000012
【図１１】
2008175861.tif 000013
【図１２】
2008175861.tif 000014
【図１３】
2008175861.tif 000015